(57)【要約】【課題】  ＬＵＴにおけるある設定点が同軸上の他の設定点の傾向と明らかに異なる傾向を示している設定点を確実に見つけ出してその設定値を補正し、最適な色変換が行えるようにする。さらに、色材量の変化に対して色の変化度合が大きくなる、明度が高い領域においても適正な補正ができるようにする。【解決手段】  ＬＵＴから入力カラーデータ（ＲＧＢ値）と出力カラーデータ（ＣＭＹ値）を読み込み、入力カラーデータに対する出力カラーデータの分布に基づいて回帰分析による関係式を作成する。そして、該関係式に前記入力カラーデータを代入して予測値を算出し、該予測値と、対応する出力カラーデータとの基準化残差が所定値を超えたとき、同軸上の他の設定点の傾向と明らかに異なる傾向を示していると判断し、ＬＵＴの該当する設定値を、予測値を使って補正する。その際、前記入力カラーデータの明度が高い領域においては、補正量を制限する。【選択図】      図１
2006157193.tif 000002
【特許請求の範囲】
【請求項１】
色変換処理用ルックアップテーブルから入力カラーデータと出力カラーデータを読み込む工程と、前記入力カラーデータと出力カラーデータとに基づいて回帰分析による関係式を作成する工程と、該関係式に前記入力カラーデータを代入して予測値を算出する工程と、該予測値と前記入力カラーデータの明度とに基づいて前記色変換処理用ルックアップテーブルを補正する工程とを具えたことを特徴とする色変換処理用ルックアップテーブル補正方法。
【請求項２】
前記入力カラーデータの明度が所定値以上の領域で補正量を制限することを特徴とする請求項１に記載の色変換処理用ルックアップテーブル補正方法。
【請求項３】
補正結果をフィードバックすることにより、補正量を修正することを特徴とする請求項１又は２に記載の色変換処理用ルックアップテーブル補正方法。
【請求項４】
前記色変換処理用ルックアップテーブルから無彩色軸上にある入力カラーデータと出力カラーデータを読み込んで無彩色のデータのみを処理することを特徴とする請求項１ないし３の何れかに記載の色変換処理用ルックアップテーブル補正方法。
【請求項５】
前記予測値と、対応する出力カラーデータとの基準化残差が所定値を超えたとき、対応する出力カラーデータの補正を行うことを特徴とする請求項１ないし４の何れかに記載の色変換処理用ルックアップテーブル補正方法。
【請求項６】
色変換処理用ルックアップテーブルによりＲＧＢ方式の入力カラーデータをＣＭＹＫ方式の出力カラーデータに変換する手段を有する画像形成装置において、
前記色変換処理用ルックアップテーブルから入力カラーデータと出力カラーデータを読み込む手段と、前記入力カラーデータと出力カラーデータとに基づいて回帰分析による関係式を作成する手段と、該関係式に前記入力カラーデータを代入して予測値を算出する手段と、該予測値と前記入力カラーデータの明度とに基づいて前記色変換処理用ルックアップテーブルを補正する手段とを具えたことを特徴とする画像形成装置。
【請求項７】
前記入力カラーデータの明度が所定値以上の領域で補正量を制限することを特徴とする請求項６に記載の画像形成装置。
【請求項８】
補正結果をフィードバックすることにより、補正量を修正することを特徴とする請求項６又は７に記載の画像形成装置。
【請求項９】
前記色変換処理用ルックアップテーブルから無彩色軸上にある入力カラーデータと出力カラーデータを読み込んで無彩色のデータのみを処理することを特徴とする請求項６ないし８の何れかに記載の画像形成装置。
【請求項１０】
前記予測値と、対応する出力カラーデータとの基準化残差が所定値を超えたとき、対応する出力カラーデータの補正を行うことを特徴とする請求項６ないし９の何れかに記載の画像形成装置。
【発明の詳細な説明】
【技術分野】
【０００１】
本発明は、スキャナ等で読み取られたＲＧＢ信号を、カラープリンタ等で取り扱われるＣＭＹＫ信号に変換する際に用いられる色変換処理用ルックアップテーブルを補正するための色変換処理用ルックアップテーブル補正方法及びそれを利用した画像形成装置に関するものである。
【背景技術】
【０００２】
カラーモニタ，カラースキャナ等では、カラー信号としてＲＧＢ信号で出力され、カラープリンタ等では、ＣＭＹＫ信号に基づいて印字出力される。例えば、カラースキャナを使ってカラー画像を読み取り、それをカラープリンタでプリントアウトする場合、カラースキャナではＲＧＢ信号で画像を読み取り、カラープリンタではそれをＣＭＹＫ信号に変換して印刷を行う。その際、ＲＧＢ信号をＣＭＹＫ信号に変換するのに、ルックアップテーブル（以下、「ＬＵＴ」と記載する）が用いられる。
【０００３】
ＬＵＴは、例えば、特許文献１に示されるように、ＲＧＢの８ビットの濃度値を立方体の互いに直交する３軸方向に割り当て、それぞれを等分に複数分割してできる格子点に対してのＣＭＹ値を設定し、テーブル化している。
【０００４】
【特許文献１】特開２００２−２７２７４号公報（図１、図７）
【０００５】
そのようなＬＵＴは、通常、カラープリンタ等を開発する段階で機種毎に作成される。具体的には、上記格子点に対応するＲＧＢ値からＬ*ａ*ｂ*等のカラー値を算出し、テストパッチ測定により該当するＣＭＹＫ値を、試行錯誤を繰り返しながら設定する。
【発明の開示】
【発明が解決しようとする課題】
【０００６】
しかしながら、そのようにして試行錯誤を繰り返しながら作成するＬＵＴは、完璧なものとはなりえず、どこかに不満足な部分が残ってしまう。特に、無彩色であるはずの部分に色が乗ってしまうと色変換の不完全さが目立つので、無彩色のＲＧＢ値に対するＣＭＹ値に彩度が乗るのはぜひとも避ける必要があるが、従来の方法で設定したＬＵＴでは、無彩色での設定点が彩度の乗ったＣＭＹ値になることもあり、その格子点に基づいて色変換を行うと、無彩色軸全体が色味を帯びて観察されることがあるという問題点があった。
【０００７】
従来、一度設定が完了したＬＵＴを後で補正することはなく、上記のような問題に対しては、ＬＵＴを使用する段階で、適当なデータ処理を施すことにより問題の解決を図っていた。しかしながら、ＬＵＴを使用する段階で、いちいちデータ処理を施すのでは処理装置の負担が大きくなってしまうという問題点があった。
【０００８】
本発明は、そのような問題点に鑑み、ＬＵＴにおける無彩色軸上の、ある設定点が同軸上の他の設定点の傾向と明らかに異なる傾向を示している場合に、異なる傾向を示す設定点を確実に見つけ出してその設定値を補正し、最適な色変換が行えるようにすることを目的とするものである。さらに、ＬＵＴの設定値を補正するに当たって、明度が高い領域においては、色材量の変化に対して色の変化度合が大きくなるため、明度に応じた適正な補正ができるようにすることを目的にするものである。
【課題を解決するための手段】
【０００９】
前記課題を解決するため、請求項１に記載の色変換処理用ルックアップテーブル補正方法は、色変換処理用ルックアップテーブルから入力カラーデータと出力カラーデータを読み込む工程と、前記入力カラーデータと出力カラーデータとに基づいて回帰分析による関係式を作成する工程と、該関係式に前記入力カラーデータを代入して予測値を算出する工程と、該予測値と前記入力カラーデータの明度とに基づいて前記色変換処理用ルックアップテーブルを補正する工程とを具えたことを特徴とする。
【００１０】
また、請求項２に記載の色変換処理用ルックアップテーブル補正方法は、請求項１に記載の発明において、前記入力カラーデータの明度が所定値以上の領域で補正量を制限することを特徴とする。
【００１１】
また、請求項３に記載の色変換処理用ルックアップテーブル補正方法は、請求項１又は２に記載の発明において、補正結果をフィードバックすることにより、補正量を修正することを特徴とする。
【００１２】
また、請求項４に記載の色変換処理用ルックアップテーブル補正方法は、請求項１ないし３の何れかに記載の発明において、前記色変換処理用ルックアップテーブルから無彩色軸上にある入力カラーデータと出力カラーデータを読み込んで無彩色のデータのみを処理することを特徴とする。
【００１３】
また、請求項５に記載の色変換処理用ルックアップテーブル補正方法は、請求項１ないし４の何れかに記載の発明において、前記予測値と、対応する出力カラーデータとの基準化残差が所定値を超えたとき、対応する出力カラーデータの補正を行うことを特徴とする。
【００１４】
また、請求項６に記載の画像形成装置は、色変換処理用ルックアップテーブルによりＲＧＢ方式の入力カラーデータをＣＭＹＫ方式の出力カラーデータに変換する手段を有する画像形成装置において、前記色変換処理用ルックアップテーブルから入力カラーデータと出力カラーデータを読み込む手段と、前記入力カラーデータと出力カラーデータとに基づいて回帰分析による関係式を作成する手段と、該関係式に前記入力カラーデータを代入して予測値を算出する手段と、該予測値と前記入力カラーデータの明度とに基づいて前記色変換処理用ルックアップテーブルを補正する手段とを具えたことを特徴とする。
【００１５】
また、請求項７に記載の画像形成装置は、請求項６に記載の発明において、前記入力カラーデータの明度が所定値以上の領域で補正量を制限することを特徴とする。
【００１６】
また、請求項８に記載の画像形成装置は、請求項６又は７に記載の発明において、補正結果をフィードバックすることにより、補正量を修正することを特徴とする。
【００１７】
また、請求項９に記載の画像形成装置は、請求項６ないし８の何れかに記載の発明において、前記色変換処理用ルックアップテーブルから無彩色軸上にある入力カラーデータと出力カラーデータを読み込んで無彩色のデータのみを処理することを特徴とする。
【００１８】
また、請求項１０に記載の画像形成装置は、請求項６ないし９の何れかに記載の発明において、前記予測値と、対応する出力カラーデータとの基準化残差が所定値を超えたとき、対応する出力カラーデータの補正を行うことを特徴とする。
【発明の効果】
【００１９】
本発明の色変換処理用ルックアップテーブル補正方法は、次のような効果を奏する。
すなわち、請求項１に記載の色変換処理用ルックアップテーブル補正方法は、色変換処理用ルックアップテーブルから入力カラーデータと出力カラーデータを読み込んで、回帰分析による関係式を作成し、該関係式に前記入力カラーデータを代入して算出した予測値と前記入力カラーデータの明度とに基づいて色変換処理用ルックアップテーブルを補正するようにした。その結果、ＬＵＴにおけるある設定点が同軸上の他の設定点の傾向と明らかに異なる傾向を示している場合に、異なる傾向を示す設定点を確実に見つけ出してその設定値を補正し、しかも、明度に応じた適正な補正を行って、最適な色変換が行えるようになる。
【００２０】
また、請求項２に記載の色変換処理用ルックアップテーブル補正方法は、前記入力カラーデータの明度が所定値以上の領域で補正量を制限するようにしたので、色材量の変化に対して色の変化度合が大きくなり、明度が高い領域においても適正な補正ができるようになる。
【００２１】
また、請求項３に記載の色変換処理用ルックアップテーブル補正方法は、補正結果をフィードバックすることにより、補正量を修正するようにしたので、適正でない補正が起こっても修正が可能になる。
【００２２】
また、請求項４に記載の色変換処理用ルックアップテーブル補正方法は、前記色変換処理用ルックアップテーブルから無彩色軸上にある入力カラーデータと出力カラーデータを読み込んで無彩色のデータのみを処理するようにしたので、色が乗ってしまうと色変換の不完全さが目立つ無彩色部分を効率的に補正できるようになる。
【００２３】
また、請求項５に記載の色変換処理用ルックアップテーブル補正方法は、前記予測値と、対応する出力カラーデータとの基準化残差が所定値を超えたとき、対応する出力カラーデータの補正を行うようにしたので、個々のデータの大小に関係なく、他のデータと異質な傾向を示しているデータを確実に判別できて、ＬＵＴの補正を的確に行うことができるようになる。
【００２４】
また、請求項６に記載の画像形成装置は、色変換処理用ルックアップテーブルから入力カラーデータと出力カラーデータを読み込んで、回帰分析による関係式を作成し、該関係式に前記入力カラーデータを代入して算出した予測値と前記入力カラーデータの明度とに基づいて色変換処理用ルックアップテーブルを補正するようにした。その結果、ＬＵＴにおけるある設定点が同軸上の他の設定点の傾向と明らかに異なる傾向を示している場合に、異なる傾向を示す設定点を確実に見つけ出してその設定値を補正し、しかも、明度に応じた適正な補正を行って、最適な色変換が行える画像形成装置を提供することができるようになる。
【００２５】
また、請求項７に記載の画像形成装置は、前記入力カラーデータの明度が所定値以上の領域で補正量を制限するようにしたので、色材量の変化に対して色の変化度合が大きくなる、明度が高い領域においても適正な補正ができる画像形成装置を提供することができるようになる。
【００２６】
また、請求項８に記載の画像形成装置は、補正結果をフィードバックすることにより、補正量を修正するようにしたので、適正でない補正が起こっても修正可能な画像形成装置を提供することができるようになる。
【００２７】
また、請求項９に記載の画像形成装置は、前記色変換処理用ルックアップテーブルから無彩色軸上にある入力カラーデータと出力カラーデータを読み込んで無彩色のデータのみを処理するようにしたので、色が乗ってしまうと色変換の不完全さが目立つ無彩色部分を効率的に補正できる画像形成装置を提供することができるようになる。
【００２８】
また、請求項１０に記載の画像形成装置は、前記予測値と、対応する出力カラーデータとの基準化残差が所定値を超えたとき、対応する出力カラーデータの補正を行うようにしたので、個々のデータの大小に関係なく、他のデータと異質な傾向を示しているデータを確実に判別できて、ＬＵＴの補正を的確に行うことができる画像形成装置を提供することができるようになる。
【発明を実施するための最良の形態】
【００２９】
以下、本発明の具体例を実施例及び図面を用いて詳細に説明する。図１は、本発明の一実施例を示すシステムブロック図である。図２は、関係式作成部の内部構造を示すブロック図である。図３は、補正処理部の内部構造を示すブロック図である。図４は、ＬＵＴ無彩色軸の入出力カラーデータの関係と予測値曲線を示す図である。
【実施例】
【００３０】
図１は、本発明の一実施例を示すシステムブロック図である。このＬＵＴ補正システム１は、例えば、パソコン上で実行される。ＬＵＴ−Ａは、テストパッチ測定によりＣＭＹＫ値を設定した補正前のもので、ＬＵＴデータ読込部２は、ＬＵＴ−Ａから、無彩色軸上にある入力カラーデータ（ＲＧＢ値）と出力カラーデータ（ＣＭＹ値）を読み込む。ここで、出力カラーデータとしてＣＭＹＫの中からＫ値を除いているのは、無彩色軸に色味が帯びる原因となるのがＣＭＹ値であり、Ｋ値は関係しないためである。しかし、Ｋ値もＣＭＹ値と同様に取り扱って処理することもできる。
【００３１】
関係式作成部３は、ＬＵＴデータ読込部２からＲＧＢ値とＣＭＹ値を受け取って、それらのデータに基づいて、回帰分析のための関係式を作成する。関係式は、ＲＧＢ値に対するＣＭＹ値の分布状態に応じて、黒色点（ＲＧＢ値＝０，０，０）から白色点（ＲＧＢ値＝２５５，２５５，２５５）までの間で区域を複数に分割し、それぞれの区域毎に作成する。
【００３２】
例えば、図４に示されるように、境界点Ｓ１と境界点Ｓ２で区分けし、黒色点（ＲＧＢ値＝０，０，０）から境界点Ｓ１までの区域Ａ１、境界点Ｓ１から境界点Ｓ２までの区域Ａ２、境界点Ｓ２から白色点（ＲＧＢ値＝２５５，２５５，２５５）までの区域Ａ３に分割し、それぞれの区域毎に関係式を作成する。なお、図４は、ＬＵＴにおけるそれぞれの格子点のＲＧＢ値に対して設定されたＣＭＹ値をプロットしたものである。
【００３３】
図２は、関係式作成部３の内部構造を示すブロック図である。関係式割出部３１は、関係式の割り出しを行い、割り出した関係式とＬＵＴデータ読込部２から受け取ったデータとを区分決定部３２に渡す。関係式の割り出しは、次のようにして行う。
【００３４】
まず、ＬＵＴデータ読込部２から受け取ったＲＧＢ値とそれに対応するＣＭＹ値を、黒色点から順に、予め決められた数の設定点（回帰式を作成する必要上、少なくとも３点）のデータを取り出し、回帰分析の手法を使って関係式を作成する。その際、次のような重回帰式、
Ｃ=βC0+βC1×ＲＧＢ+βC2×ＲＧＢ2
Ｍ=βM0+βM1×ＲＧＢ+βM2×ＲＧＢ2
Ｙ=βY0+βY1×ＲＧＢ+βY2×ＲＧＢ2
を適用する。ここで、カラーデータは、無彩色軸上にあるものだけを扱っているため、ＲＧＢ値は、Ｒ＝G＝Bとなり、上記式におけるＲＧＢは、各色共通の値を示している。
【００３５】
関係式は、最小２乗法を用いて、上記式の係数βC0，βC1，・・・を定めて確定する。すなわち、Ｃ，Ｍ，Ｙそれぞれについて、上記設定点のＣＭＹ値と、上記式にＲＧＢ値を代入して算出される値との差の２乗の合計が最小になるβC0，βC1，・・・を求めて関係式を確定する。そのようにして決定した関係式を、上記設定点のＲＧＢ値，ＣＭＹ値と共に、区分決定部３２に渡す。
【００３６】
区分決定部３２は、受け取った関係式とデータを使って、データ毎に基準化残差を求め、それを境界判定部３３へ渡す。
【００３７】
基準化残差は、当該データの予測値との差をｘ、差の平均値をμ、差の標準偏差をσとしたとき、基準化残差ｕ＝（ｘ−μ）／σで表される。この基準化残差は、各設定点データの予測値との差の大きさを判定するためのものであるが、そのために基準化残差を用いるのは、バラツキを持っているデータについて、単に数字の大小を比較するだけでは、そのデータが集合の中で異質なデータであるか否か判断できないためである。
【００３８】
境界判定部３３は、区分決定部３２から受け取った基準化残差を明度順に読み取り、その大きさが所定値、例えば、２を超えている点が連続して存在するか否かで、関係式を適用する区域を区分するか否かを決定する。基準化残差が２を超えている点が２点以上連続して存在したら、最初に２を超えた点を境界点として決定し、区分決定部３２に通知する。
【００３９】
ここで、基準化残差が２を超えていることの意味を説明する。統計的に、一つの集合の中で、平均から±３σ以内に入るデータは、９９．７％であるといわれている。言い換えると、基準化残差が３以上となるとき、上記差ｘは、９９．７％に含まれない異質な値であるとみなすことができる。そこで、本実施例では、それより条件をやや緩めて、基準化残差が、２以上であれば、そのデータは他のデータと異質なものであるとみなすこととした。
【００４０】
一方、基準化残差が２を超えている点が連続して存在しなかった場合は、区分決定部３２を介して関係式割出部３１に通知する。それを受けた関係式割出部３１は、先に使った設定点に次の設定点を加えて、最小２乗法を用いて関係式を割り出し、該関係式を各設定点のＲＧＢ値，ＣＭＹ値と共に、区分決定部３２に渡す。区分決定部３２，境界判定部３３は、上記と同様な処理を行って、基準化残差が２を超えている点が２点以上連続して存在するか否かを調べる。以下、関係式割出部３１，区分決定部３２，境界判定部３３は、境界点が決定されるまで、同様な処理を繰り返し実行する。
【００４１】
黒色点から明度が高い方向へ向かう区域の境界点Ｓ１と関係式が決まったら、次は、白色点から明度が低い方向へ向かう区域の境界点Ｓ２と関係式を決定するための処理を、上記の処理と同様に実行する。また、境界点Ｓ１から境界点Ｓ２までの区域についても、境界点Ｓ１又は境界点Ｓ２を基点とし、上記の処理と同様な処理を実行し、中間部に境界点が見つからなかったら、関係式のみを決定する。
【００４２】
以上のようにして、すべての境界点が決まり、区域と各区域に対応した関係式とが決定されたら、区分決定部３２から関係式決定部３４に境界点と関係式を送り、それらは関係式決定部３４から予測値計算部４に送られる。
【００４３】
予測値計算部４は、関係式作成部３で求めた関係式を使って区域内の各点におけるＣＭＹの予測値を計算し、補正処理部５へ渡す。補正処理部５は、予測値計算部４で計算した予測値とＬＵＴで設定された値とを比較して、ＬＵＴ設定値の補正を行う必要があるか否かを判定し、補正の必要があると判定されれば補正を行う。
【００４４】
図３は、補正処理部５の内部構造を示すブロック図である。条件判定部５１で、ＬＵＴデータ読込部２から順次１組ずつ受け取ったＬＵＴ−ＡのＲＧＢ値及びＣＭＹ値と、予測値計算部４で求めた予測値とを読み込み、予測値と設定値との間に大きな相違があるか否かに基づいて、補正するか否かの判定を行う。その際、予測値と設定値との間に大きな相違があるか否かの判定は、前記基準化残差が所定値、例えば、２．５を上回ったか否かで行う。すなわち、基準化残差が２．５以上であれば、そのデータは他のデータと異質なものであるとみなし、補正する必要があると判断する。
【００４５】
また、条件判定部５１では、ＲＧＢ入力値の明度に対応させて、Ｃ，Ｍ，Ｙ毎に予め決められた補正係数ＫＣ，ＫＭ，ＫＹを保持しており、上記の方法で補正する必要があると判断された場合は、該当する補正係数を取り出して補正値計算部５２に渡す。
【００４６】
そして、補正値計算部５２では、ＬＵＴの設定値と、関係式によって計算された予測値との差に予め決められた補正係数を掛けて補正量を算出し、その補正量だけＬＵＴの設定値を増減して補正値を算出する。例えば、ＲＧＢ値が１５０以下の領域での補正係数をＫＣ＝１．０，ＫＭ＝１．０，ＫＹ＝１．０とし、ＲＧＢ＝（１２０，１２０，１２０）のＣＭＹ設定値（１４５，１３５，１４０）で、予測値（１４０，１３５，１４０）となった時、Ｃの設定値の予測値との差は−５、Ｍの設定値の予測値との差は０、Ｙの設定値の予測値との差は０となり、それらにそれぞれの補正係数を掛けて補正量を求めると、−５，０，０となり、補正値は、ＣＭＹ＝（１４０，１３５，１４０）となる。
【００４７】
一方、明度が高い領域においては、色材量の変化に対して色の変化度合が大きく、色材量を微妙に変えただけで色感が大きく変わったり、コントラストがおかしくなったりする。また、明度が高い領域においては、ＣＭＹの内、Ｙ（イエロー）の与える影響が大きい。そのため、ＲＧＢ入力値の明度が所定値以上の領域では、補正量を制限し、Ｙについてはさらに制限する必要がある。そこで、ＲＧＢ値が１５０を超える領域での補正係数は、ＲＧＢ値が１５０以下の領域より小さくし、例えば、ＫＣ＝０．５，ＫＭ＝０．５，ＫＹ＝０．０とし、ＲＧＢ＝（２００，２００，２００）のＣＭＹ設定値（２５，２０，２０）で、予測値（２０，２０，２０）となった時、Ｃの設定値の予測値との差は−５、Ｍの設定値の予測値との差は０、Ｙの設定値の予測値との差は０となり、それらにそれぞれの補正係数を掛けて補正量を求めると、Ｃの補正量は−２．５で、四捨五入して−３、ＭとＹは０，０となり、補正値は、ＣＭＹ＝（２２，２０，２０）となる。その補正値は、補正値出力部５３を通して補正ＬＵＴ作成部６に渡される。
【００４８】
補正係数算出部５４は、補正値計算部５２で計算された補正量において、Ｃ，Ｍ，Ｙの内、色材量が０になった回数を色毎にカウントしておき、その回数に応じて該当する色の補正係数を修正し、それを条件判定部５１にフィードバックする。例えば、色材量が０になった回数が１０回を超えた色材が生じたら、その色の補正係数を０．１だけ減らすように条件判定部５１に通知する。
【００４９】
補正処理部５では、補正する必要があると判断されたデータについては、そのようにして補正を行い、補正する必要がないと判断されたデータは、補正することなくそのまま補正ＬＵＴ作成部６に渡す。
【００５０】
補正ＬＵＴ作成部６は、補正処理部５から、補正しないデータはＬＵＴ−Ａの設定値をそのまま受け取り、補正するデータは、上記補正値を受け取って、ＬＵＴデータがすべて揃ったところで、ＬＵＴの設定値を入れ替えて、新しいＬＵＴ−Ｂを作成する。
【００５１】
なお、上記実施例では、ＬＵＴの無彩色軸上にあるカラーデータのみを読み込んで処理するようにしたが、本発明は、有彩色軸上にあるカラーデータの補正にも拡張して適用できる。例えば、ＲＧＢの内のＲ軸上のデータを補正する場合は、Ｒの値が２５５であり、ＧとＢの値が等量ずつ段階的に変化する格子点のカラーデータをＬＵＴから読み込んで、ＧＢ値に対するＣＭＹ値の分布について上記と同様な処理を行うことにより実現できる。
【００５２】
また、上記実施例では、ＬＵＴ補正システムをパソコン上で実行する場合について説明したが、ＬＵＴ補正システムをプリンタに搭載して、プリンタ内で実行させるようにしてもよい。そのようにすれば、プリンタを設置した後でも、必要に応じてＬＵＴの補正ができるようになる。
【図面の簡単な説明】
【００５３】
【図１】本発明の一実施例を示すシステムブロック図である。
【図２】関係式作成部の内部構造を示すブロック図である。
【図３】補正処理部の内部構造を示すブロック図である。
【図４】ＬＵＴ無彩色軸の入出力カラーデータの関係と予測値曲線を示す図である。
【符号の説明】
【００５４】
Ａ…補正前のＬＵＴ
Ｂ…補正後のＬＵＴ
１…ＬＵＴ補正システム
２…ＬＵＴデータ読込部
３…関係式作成部
４…予測値計算部
５…補正処理部
６…補正ＬＵＴ作成部
３１…関係式割出部
３２…区分決定部
３３…境界判定部
３４…関係式決定部
５１…条件判定部
５２…補正値計算部
５３…補正値出力部
５４…補正係数算出部
【図１】
2006157193.tif 000003
【図２】
2006157193.tif 000004
【図３】
2006157193.tif 000005
【図４】
2006157193.tif 000006